(57)【特許請求の範囲】
【請求項１】
複数の服用物収容セルが列状に並ぶように形成されたストリップ包装体を払い出す調剤装置であって、
前記ストリップ包装体は複数の服用物収容セルが列状に並ぶ方向の一端部を中心にして巻いた状態で収納された収納容器にて供給され、
前記収納容器を保持する複数の収納容器保持部が上下及び左右方向に並ぶように配置され、
前記上下及び左右方向に並ぶ複数の収納容器保持部の前面側から、各収納容器保持部に対する前記収納容器のセット及び前記収納容器内の前記ストリップ包装体の取り出しが可能であり、
前記収納容器保持部に保持された前記収納容器内のストリップ包装体の他端部を引き出す引出部と、前記引出部によって引き出されたストリップ包装体上の前記服用物収容セルの個数を検出するセル検出部と、前記引出部によって引き出されたストリップ包装体の引出部分を切断するカッターと、前記カッターの切断により分離したストリップ包装体を収集する収集部と、払い出し指令及び前記セル検出部の検出結果に基づいて前記引出部及びカッターを作動させ、所定の収納容器保持部に保持された前記収納容器から所定個数の服用物収容セルを搭載したストリップ包装体を分離して前記収集部に収集する払い出し制御を実行する制御部とを備え、
前記収納容器は収納したストリップ包装体の情報を表示するバーコード表示部を外面に備え、
前記収納容器のバーコード表示部の表示情報を読み取る手持ち式のバーコードリーダーと、前記複数の収納容器保持部内の前記収納容器のセットの有無を検出する容器センサと、前記複数の収納容器保持部の夫々に対応させた表示器と、前記複数の収納容器保持部の何れかを選択する選択スイッチとが設けられ、
前記制御部は、前記選択スイッチにて前記複数の収納容器保持部のうち、前記収納容器がセットされていない収納容器保持部の何れかが選択され、その選択された収納容器保持部に前記収納容器がセットされ、前記容器センサによりその選択された収納容器保持部に前記収納容器がセットされていることが検出された場合、前記選択された収納容器保持部に対応する前記表示器を点灯させ、前記バーコードリーダーの読み取り情報に基づいて、前記選択された収納容器保持部にセットされている前記収納容器内のストリップ包装体の情報を前記選択された収納容器保持部と対応付けて記憶することを特徴とする調剤装置。
【請求項２】
前記複数の収納容器保持部の夫々は、前記収納容器を前記収納容器保持部の前面側に引き出すことが可能であることを特徴とする請求項１に記載の調剤装置。
【請求項３】
前記ストリップ包装体はそのストリップ包装体の情報を表示するバーコード表示部を備え、
前記セル検出部は、前記ストリップ包装体上のバーコード表示部の表示情報を読み取るバーコード読取り部を備え、
前記制御部は、前記バーコード読取り部の読み取り情報と払い出し指令がされたストリップ包装体の情報とが一致した場合にのみ、前記払い出し制御を実行することを特徴とする請求項１又は２に記載の調剤装置。
【請求項４】
前記ストリップ包装体は、重ねた２枚の樹脂フィルムのシート間に前記服用物を収容し、前記服用物の周囲の両シートを溶着した細長いシート状に形成され、シート長手方向で隣り合う前記服用物収容セル内の服用物の位置がシート幅方向で反対側にずれていることを特徴とする請求項１から３のいずれかに記載の調剤装置。
【請求項５】
前記複数の収納容器保持部の前面側を上下及び左右方向に移動する移動体が設けられ、該移動体に前記引出部、セル検出部、及びカッターが搭載されていることを特徴とする請求項１から４のいずれかに記載の調剤装置。
【発明の詳細な説明】
【技術分野】
【０００１】
本発明は、調剤装置に関し、特に、ストリップ包装体がロール状に巻かれた状態で供給される調剤装置を対象とする。
【０００２】
病院等の薬局において医師の処方箋情報に基づいて薬剤師が行う調剤作業は多大な精神的、肉体的負担を要するものである。そこで、調剤作業の負担軽減のため、ＰＴＰ(Press Through Package)シートで包装された所定の錠剤を自動的に払い出す調剤装置が開発されている（例えば、特許文献１参照）。
【０００３】
ＰＴＰシートは一般に１０個以上の錠剤が１枚のシートに並べた状態で封止してあるが、上記調剤装置では、先ず使用者が複数枚のＰＴＰシートを個装箱から取り出し、装置内の収納部に重ねてセットする必要がある。その際、製品名等の確認のために、個装箱についている製品ラベルをはがして収納部の前面に貼り付けている。ＰＴＰシートのセットが完了した後、払い出し指令に基づいて、収納部の最下位置のＰＴＰシートから順次取り出され、払い出される。１０個以下の端数分についても、自動的にカットされて払い出される。
【先行技術文献】
【特許文献】
【０００４】
【特許文献１】特許第５５０７０９８号公報
【発明の概要】
【発明が解決しようとする課題】
【０００５】
上記従来技術では、ＰＴＰシートを個装箱から取り出して調剤装置にセットする必要があるため、手間が大変であるとともに、製品ラベルのはり間違いを含めて錠剤のセットミスが発生する可能性がある。また、シート単位の払い出しとは別に、端数分の錠剤をカットして払い出す機構が必要であり、装置が複雑化する問題点もある。
【０００６】
本発明は、上記問題点に鑑み、調剤装置へのストリップ包装体のセットが簡単にまた正確にできるようにし、装置の複雑化も回避することが目的である。
【課題を解決するための手段】
【０００７】
本発明に係る調剤装置は、複数の服用物収容セルが列状に並ぶように形成されたストリップ包装体を払い出す調剤装置であって、前記ストリップ包装体は複数の服用物収容セルが列状に並ぶ方向の一端部を中心にして巻いた状態で収納された収納容器にて供給され、前記収納容器を保持する複数の収納容器保持部が上下及び左右方向に並ぶように配置され、前記上下及び左右方向に並ぶ複数の収納容器保持部の前面側から、各収納容器保持部に対する前記収納容器のセット及び前記収納容器内の前記ストリップ包装体の取り出しが可能であり、前記収納容器保持部に保持された前記収納容器内のストリップ包装体の他端部を引き出す引出部と、前記引出部によって引き出されたストリップ包装体上の前記服用物収容セルの個数を検出するセル検出部と、前記引出部によって引き出されたストリップ包装体の引出部分を切断するカッターと、前記カッターの切断により分離したストリップ包装体を収集する収集部と、払い出し指令及び前記セル検出部の検出結果に基づいて前記引出部及びカッターを作動させ、所定の収納容器保持部に保持された前記収納容器から所定個数の服用物収容セルを搭載したストリップ包装体を分離して前記収集部に収集する払い出し制御を実行する制御部とを備え、前記収納容器は収納したストリップ包装体の情報を表示するバーコード表示部を外面に備え、前記収納容器のバーコード表示部の表示情報を読み取る手持ち式のバーコードリーダーと、前記複数の収納容器保持部内の前記収納容器のセットの有無を検出する容器センサと、前記複数の収納容器保持部の夫々に対応させた表示器と、前記複数の収納容器保持部の何れかを選択する選択スイッチとが設けられ、前記制御部は、前選択スイッチにて前記複数の収納容器保持部のうち、前記収納容器がセットされていない収納容器保持部の何れかが選択され、その選択された収納容器保持部に前記収納容器がセットされ、前記容器センサによりその選択された収納容器保持部に前記収納容器がセットされていることが検出された場合、前記選択された収納容器保持部に対応する前記表示器を点灯させ、前記バーコードリーダーの読み取り情報に基づいて、前記選択された収納容器保持部にセットされている前記収納容器内のストリップ包装体の情報を前記選択された収納容器保持部と対応付けて記憶することを特徴とする。
【０００８】
本発明においては、上下及び左右方向に並ぶように配置された複数の収納容器保持部の夫々に、ストリップ包装体を複数の服用物収容セルが列状に並ぶ方向の一端部を中心にして巻いた状態で収納した収納容器が保持され、複数の収納容器保持部の前面側から、各収納容器保持部に対する前記収納容器のセット及び前記収納容器内の前記ストリップ包装体の取り出しが可能である。払い出し指令に基づいて引出部が作動し、収納容器保持部に保持された前記収納容器からストリップ包装体の他端部が引き出される。引出部によって引き出されたストリップ包装体上の前記服用物収容セルの個数がセル検出部で検出され、所定個数の服用物収容セルを搭載したストリップ包装体が引き出されると、カッターが作動してストリップ包装体の引出部分が切断され、所定個数の服用物収容セルを搭載したストリップ包装体が分離して収集部に収集されるように払い出し制御が実行される。
【０００９】
さらに、選択スイッチにて複数の収納容器保持部のうち、前記収納容器がセットされていない収納容器保持部の何れかが選択され、その選択された収納容器保持部に前記収納容器がセットされ、その選択された収納容器保持部に設けた容器センサにて、選択された収納容器保持部に収納容器がセットされていることが検出されると、選択された収納容器保持部に対応する表示器を点灯させ、選択された収納容器保持部にセットされている収納容器の外面に備えたバーコード表示部の表示情報が手持ち式のバーコードリーダーにて読み取られると、選択された収納容器保持部にセットされている収納容器内のストリップ包装体の情報が選択された収納容器保持部と対応付けて記憶される。これにより、複数の収納容器保持部の夫々にセットされている収納容器内のストリップ包装体の情報が複数の収納容器保持部の夫々と対応付けて記憶される。払い出し指令があると、上記記憶情報によりその払い出し指令に係るストリップ包装体を収納した収納容器がセットされている収納容器保持部が特定され、その収納容器保持部にセットされた収納容器内のストリップ包装体が払い出される。
【００１０】
本発明に係る調剤装置は、前記複数の収納容器保持部の夫々は、前記収納容器保持部の前面側に引き出すことが可能であることを特徴とする。
本発明においては、複数の収納容器保持部の夫々を収納容器保持部の前面側に引き出した状態で各収納容器保持部に対して収納容器をセットする。
【００１１】
本発明に係る調剤装置は、前記ストリップ包装体はそのストリップ包装体に関する情報を表示するバーコード表示部を備え、前記セル検出部は、前記ストリップ包装体上のバーコード表示部の表示情報を読み取るバーコード読取り部を備え、前記制御部は、前記バーコード読取り部の読み取り情報と払い出し指令がされたストリップ包装体の情報とが一致した場合にのみ、前記払い出し制御を実行することを特徴とする。
【００１２】
本発明においては、ストリップ包装体上のバーコード表示部の表示情報がセル検出部に備えたバーコード読取り部で読み取られ、ストリップ包装体に表示されたストリップ包装体の情報と払い出し指令がされたストリップ包装体の情報とが一致した場合に払い出し制御が実行され、ストリップ包装体に表示されたストリップ包装体の情報と払い出し指令がされたストリップ包装体の情報とが一致しない場合は払い出し制御が実行されない。
【００１３】
本発明に係る調剤装置は、前記ストリップ包装体は、重ねた２枚の樹脂フィルムのシート間に前記服用物を収容し、前記服用物の周囲の両シートを溶着して細長いシート状に形成され、シート長手方向で隣り合う前記服用物収容セル内の服用物の位置がシート幅方向で反対側にずれていることを特徴とする。
本発明においては、細長いシート状のストリップ包装体がシート長手方向の一端部を中心にして巻かれたときに、巻きの方向で隣り合うシート間の服用物同士が重なる頻度が低下する。
【００１４】
本発明に係る調剤装置は、前記複数の収納容器保持部の前面側を上下及び左右方向に移動する移動体が設けられ、該移動体に前記引出部、セル検出部、及びカッターが搭載されていることを特徴とする。
本発明においては、上下及び左右方向に並ぶように配置してある各収納容器保持部の位置に、引出部、セル検出部、及びカッターが搭載された移動体が移動し、その収納容器保持部に保持された収納容器内からストリップ包装体が引き出され、所定個数分の収容セルを搭載したストリップ包装体が切断され、分離して収集される。
【発明の効果】
【００１５】
本発明に係る調剤装置によれば、ストリップ包装体を巻いた状態で収納した収納容器をそのまま上下及び左右方向に並ぶように配置された複数の収納容器保持部に収納容器保持部の前面側からセットして保持させるので、ストリップ包装体を取り出してセットする必要がなく、調剤装置へのストリップ包装体のセットが簡単にできる。また、収納容器保持部の夫々に保持された収納容器から複数の収容セルを搭載したストリップ包装体を所定個数分の収容セルを引き出して切断する単一の機構で収納容器保持部の前面側にストリップ包装体を取り出すように払い出しを行うので、装置の複雑化を回避することができる。
【００１６】
さらに、選択スイッチにて収納容器がセットされていない収納容器保持部を選択した後、選択した収納容器保持部に収納容器がセットされ、容器センサにより選択した収納容器保持部に収納容器がセットされていることが検出されると、選択した収納容器保持部に対応する表示器を点灯させ、収納容器の外面に備えたバーコード表示部を手持ち式のバーコードリーダーで読み取ると、複数の収納容器保持部の夫々にセットされている収納容器内のストリップ包装体の情報が各収納容器保持部と対応付けて記憶されるので、調剤装置へのストリップ包装体のセットが簡単で正確にできる。
【００１７】
本発明に係る調剤装置によれば、各収納容器保持部に対して収納容器保持部の前面側から収納容器をセットすることができる。
本発明に係る調剤装置によれば、ストリップ包装体に表示されたストリップ包装体の情報と払い出し指令がされたストリップ包装体の情報とが一致する場合にのみ払い出し制御が実行されるので、間違ったストリップ包装体の払い出しが防止される。
本発明に係る調剤装置によれば、細長いシート状のストリップ包装体がシート長手方向の一端部を中心にして巻いたときの巻きの方向で隣り合うシートの服用物同士が重なる頻度が低下するので、シートの巻き回数に対して巻き径の増大が抑制されて収納容器内でのシート収納密度が高くなり、同一寸法の収納容器に収納される服用物の個数を多くすることができる。
【図面の簡単な説明】
【００１８】
【図１】図１は本発明に係るストリップ包装体の収納容器の外観を示す斜視図である。
【図２】図２は図１のストリップ包装体の収納容器の組み立て工程を示す斜視図である。
【図３】図３はストリップ包装体の平面図である。
【図４】図４は本発明に係る調剤装置の前面側を示す斜視図である。
【図５】図５は調剤装置にセットした収納容器の拡大斜視図である。
【図６】図６は調剤装置の構造を模式的に示す断面図である。
【図７】図７は調剤装置の制御構成を示すブロック図である。
【図８】図８は制御作動のフローチャートである。
【図９】図９は制御作動のフローチャートである。
【図１０】図１０は別実施形態の調剤装置の構造を模式的に示す断面図である。
【図１１】図１１は別実施形態に係るストリップ包装体の平面図である。
【図１２】図１２は別実施形態に係るストリップ包装体の収納容器を示す斜視図である。
【発明を実施するための形態】
【００１９】
以下、本発明に係る調剤装置の実施形態について説明する。
図１と図２に基づいてストリップ包装体の収納容器について説明する。
細長いシート状に形成されたストリップ包装体１が一端部から円筒状の芯２に巻かれ、扁平な円柱の外形を有している。円柱形に巻かれたストリップ包装体１は収納容器３の内部に収納されている。
【００２０】
収納容器３は、ストリップ包装体１の円柱形の直径より少し長い寸法の２つの稜ｒ１，ｒ１と、円柱の高さより少し長い寸法の１つの稜ｒ２を有する直方体の箱状に形成されている。収納容器３の稜ｒ１と稜ｒ２を２辺とする長方形の面の一つにストリップ包装体１の他端部を外部に引き出すための矩形の引出口３ｂが形成されている。引出口３ｂが形成された収納容器３の面の中央に、ストリップ包装体１に収容されている錠剤の品名表示部３ａ１と錠剤の情報（例えば、収容個数、錠剤の成分・用途など）を表示するバーコード表示部３ａ２とを有するシール３ａが貼着されている。
【００２１】
収納容器３は２つの箱構成体３−１，３−２を組み合わせたものである。箱構成体３−１，３−２は紙製である。一方の箱構成体３−１は稜ｒ１を２辺とする正方形の底板の周縁に稜ｒ２を高さとする側板を設けた構造を有する。一方の箱構成体３−１の底板の中心に回転軸３ｃが立設してある。
【００２２】
他方の箱構成体３−２は、２辺が稜ｒ１より少し短い寸法の正方形の底板の周縁に１つの辺を除いて稜ｒ２より少し短い寸法を高さとする側板を設けた構造を有する。箱構成体３−２の正方形の底板が側板を設けていない縁部で一方の箱構成体３−１の側板の周縁の一部に折曲げ自在に連結されている。他方の箱構成体３−２を一方の箱構成体３−１との連結箇所を支点として箱構成体３−１の内側に折りたたむことにより、収納容器３が形成される。２つの箱構成体３−１，３−２の側板の引出口３ｂに対応する箇所には矩形の切り欠き３ｂ１，３ｂ２が形成されている。
【００２３】
収納容器の組み立て工程では、先ず、円柱形に巻かれたストリップ包装体１の芯２に一方の箱構成体３−１の回転軸３ｃを挿入させて、ストリップ包装体１を一方の箱構成体３−１の内部に組み込む。この際、ストリップ包装体１の巻き終わり側の他端部を箱構成体３−１の切り欠き３ｂ１から少し外に出た状態で側板に粘着テープ等により留めておく。次に、他方の箱構成体３−２を一方の箱構成体３−１との連結箇所を支点として箱構成体３−１の内側に折りたたむことにより、ストリップ包装体１を収納した収納容器３が形成される。
【００２４】
図３に基づいてストリップ包装体１の構造について説明する。
ストリップ包装体１は、２枚の樹脂フィルムのシートを重ね、両シート間に錠剤Ｊを収容した収容セルＳをシート長手方向に所定間隔で複数個並べたものである。両シートは熱可塑性樹脂の単一層又は複合層からなる。服用物収容セルＳは平面視で略矩形であり、両シートの樹脂を熱で溶着して４方がシールされている。シート長手方向で隣り合う服用物収容セルＳの間に形成した帯状のシール領域の中央をシート幅方向に横切るようにミシン目１ｂが設けてある。
【００２５】
上記服用物収容セルＳの周囲の熱シール箇所のうち、シート幅方向の両側のいずれか一方の熱シール強度を他の箇所の熱シール強度よりも弱く形成している。その結果、内部の錠剤Ｊを弱シール部に向けて押してシールを剥離させ、錠剤Ｊを外部に取り出すことができる。これにより、服用物収容セルＳを引き裂いて開口するための切り欠きを設ける必要が無くなる。さらに、服用物収容セルＳの弱シール部にシート幅方向で連なる延長片を備え、弱シール部を内側にして延長片を折り曲げて保持するようにしてもよい。これにより、弱シール部の外力による剥離を防止することができる。
【００２６】
各服用物収容セルＳに対応して、シート表面にラベル１ａが貼り付け又は印刷により設けられ、ラベル１ａは品名表示１ａ１とバーコード表示１ａ２と太い線からなるマーク１ａ３を有する。また、ラベル１ａには、何番目のセルＳであるかを表示するために巻き終わり側から巻き始め側に連続した番号表示１ａ４が付されている。番号表示１ａ４は、例えば００１から９９９の間の数字である。尚、上記番号表示１ａ４のうち巻き終わりのセルの番号と巻き始めのセルの番号が、前記収納容器３の外側のバーコード表示部３ａ２に表示されている。
【００２７】
図４〜図７に基づいて調剤装置について説明する。
調剤装置を前面側から見て、複数の収納容器保持部４が上下及び左右方向に並ぶように配置されている。各収納容器保持部４は前側に引き出すことができる。各収納容器保持部４の前部に、ストリップ包装体１を搬送する搬送ローラー５と、引き出されたストリップ包装体１を検出する光学式のシートセンサ６と、引き出されたストリップ包装体１を切断分離するカッター１４が設置されている。
【００２８】
上記搬送ローラー５はストリップ包装体１の幅方向の両端部を上下から挟む４個のローラーで構成される。搬送ローラー５が収納容器保持部４に保持された収納容器３内のストリップ包装体１の他端部を引き出す引出部に相当する。シートセンサ６は、各服用物収容セルＳのマーク１ａ３を検出するマーク検出部６ａと、バーコード表示部１ａ２を読み取るバーコード読取り部６ｂとを備えている。マーク検出部６ａが搬送ローラー５によって引き出されたストリップ包装体１上の服用物収容セルＳの個数を検出するセル検出部に相当する。
【００２９】
図示は省略するが、搬送ローラー５の上側の２個のローラーとシートセンサ６とを収納容器保持部４の前面から横脇に退避させる移動機構が設けてある。収納容器３を収納容器保持部４にセットする場合、収納容器保持部４を前側に引き出し、上記移動機構により搬送ローラー５の上側の２個のローラーとシートセンサ６とを退避させた状態で、収納容器３をシール３ａと引出口３ｂを設けた面を前にして立て姿勢で収納容器保持部４に収納する。次に、収納容器３の引出口３ｂからストリップ包装体１の端部を掴んで下側の搬送ローラーの上を通過するまで引き出し、移動機構により退避した２個のローラーとシートセンサ６を元の位置に戻し、最後に、収納容器保持部４を押し込んでセットが完了する。
【００３０】
収納容器保持部４の底部に、収納容器３のセットの有無を検出する光学式の容器センサ７が設置されている。
【００３１】
調剤装置は前面側の下部に、カッター１４で切断されて落下するストリップ包装体１を収集するシューター１５が配置されている。シューター１５がカッター１４の切断により分離したストリップ包装体１を収集する収集部に相当する。
【００３２】
手持ち式のバーコードリーダー８と、複数の収納容器保持部４の何れかを選択する選択スイッチ９と、各収納容器保持部４に対応させた表示器１３とが設けてある。
【００３３】
調剤装置の運転を制御する制御部１０が設けてある。制御部１０は、制御プログラムや各種情報を記憶保持するメモリー１０ａを備えている。制御部１０に、シートセンサ６の検出信号と容器センサ７の検出信号とバーコードリーダー８の読み取り情報と選択スイッチ９の検出信号が入力され、さらに通信手段等を介して処方箋情報１１が入力されている。
【００３４】
制御部１０から、搬送ローラー５を回転駆動する搬送ローラーモータ５ａと、カッター１４を駆動するカッターモータ１４ａと、表示器１３とに対する駆動信号が出力されている。
【００３５】
次に図８に示すフローチャートに基づいて、複数の収納容器保持部４に対する収納容器３のセット動作について説明する。
先ず、操作者が上下及び左右方向に並ぶ複数の収納容器保持部４のうち、空の収納容器保持部４の一つを選択スイッチ９で選択し、その選択した収納容器保持部４にストリップ包装体１を収納した新しい収納容器３をセットする。すると、容器センサ７がオンし、その収納容器保持部４に対応した表示器１３がオン（点灯）する。そこで、操作者はバーコードリーダー８を手に持って、セットした収納容器３のバーコード表示部３ａ２を読み取ると、その収納容器３内の錠剤に関する情報と選択した収納容器保持部４とが対応付けてメモリー１０ａに記憶される。最後に、表示器１３がオフ（消灯）され、処理が終了する。
【００３６】
次に図９に示すフローチャートに基づいて、ストリップ包装体１の払い出し動作について説明する。
先ず、処方箋情報等に基づいて所定の錠剤に関する払い出し指令が入力すると、メモリー１０ａに記憶した錠剤と収納容器保持部４との対応情報に基づいて対象となる収納容器保持部４を判別し、その収納容器保持部４に対応した表示器１３をオン（点灯）する。次に、搬送ローラー５が駆動されてその収納容器保持部４に保持された収納容器３からストリップ包装体１を引き出し、そのストリップ包装体１の服用物収容セルＳに設けたバーコード表示部１ａ２がバーコード読取り部６ｂで読み取られる。
【００３７】
上記バーコード読取り部６ｂで読み取った錠剤の情報と払い出しが指令された錠剤の情報が一致しない場合は、搬送ローラー５の駆動を停止するとともに、警報を発して処理を終了する。バーコード読取り部６ｂで読み取った錠剤の情報と払い出しが指令された錠剤の情報が一致する場合は、服用物収容セルＳが所定の個数引き出されたかをマーク検出部６ａで検出し、服用物収容セルＳが所定の個数引き出されると、搬送ローラー５の駆動を停止するとともに、カッター１４を駆動させて、ストリップ包装体１を切断する。ストリップ包装体１の切断は所定個数の最後の服用物収容セルＳとその次の服用物収容セルＳの間のミシン目１ｂの位置で行う。最後に、表示器１３がオフ（消灯）され、処理が終了する。上記切断されたストリップ包装体１に搭載された服用物収容セルＳの個数は、両端の服用物収容セルＳに付されている番号表示１ａ４の数値の差で確認することができる。
【００３８】
図１０に基づいて本発明に係る調剤装置の別実施形態について説明する。
この別実施形態では、搬送ローラー５とシートセンサ６とカッター１４とを各収納容器保持部４に設けず、移動ユニット１２に搭載してある点で上記実施形態と異なる。移動ユニット１２は、駆動アーム１２ａに支持されて複数の収納容器保持部４の前面側を上下及び左右方向に移動し、指令された収納容器保持部４の前面に停止し、各収納容器保持部４にセットされた収納容器３からストリップ包装体１を引き出して切断する。尚、図１０では、各収納容器保持部４に設けた容器センサ７の図示を省略している。
【００３９】
次に、図１１に基づいて、別実施形態に係るストリップ包装体１について説明する。
上記実施形態では、各服用物収容セルＳ内で錠剤Ｊは同じような位置にあったが（図３）、この別実施形態では各服用物収容セルＳ内で錠剤Ｊの位置をシート幅方向で１つおきに左右にずれるように位置させてある。具体的には、錠剤Ｊの近くの両シートを熱シールして位置を規制している。その結果、ストリップ包装体１を巻いたときに、巻き方向で隣り合うシート間の錠剤Ｊ同士が重なる頻度が低下するので、シートの巻き回数に対して巻き直径の増大が抑制されて収納容器３内でのシート収納密度が高くなり、同一寸法の収納容器３に収納される錠剤Ｊの個数を多くすることができる。尚、錠剤Ｊの位置をずらす方向はシート幅方向に限らず、シート長手方向、斜め方向など種々の方向に設定することができる。
【００４０】
上記実施形態では、ストリップ包装体１の巻き芯２に収納容器３に備えた回転軸３ｃを挿入させてストリップ包装体１を収納するようにしたが、回転軸３ｃを設けず、巻いた状態のストリップ包装体１をそのまま収納容器内に収納するようにしてもよい。この場合、ストリップ包装体１側に巻き芯２を設けなくてもよい。以下、図１２に基づいて、別実施形態に係るストリップ包装体１の収納容器３０について説明する。
【００４１】
収納容器３０は、ストリップ包装体１の円柱形の直径より少し長い寸法の２つの稜ｒ１，ｒ１と、円柱の高さより少し長い寸法の１つの稜ｒ２を有する直方体の紙製の箱状に形成されている。ただし、稜ｒ１と稜ｒ２を２辺とする長方形の側面が隣り合う４角部のうち１箇所が斜面３０ｃにカットされている。なお、図示はしていないが、その斜面３０ｃに連なる一方の側面３０ａの中央に、前記品名表示部３ａ１とバーコード表示部３ａ２とを有するシール３ａが貼着されている。斜面３０ｃとは反対側の側面３０ａの端部に、ストリップ包装体１の他端部を外部に引き出すための矩形の引出口３０ｂが形成されている。
【００４２】
収納容器３０は、直方体箱状の本体部３０−１と、本体部３０−１に連なる蓋部３０−２と、蓋部３０−２に連なる舌部３０−３とを組み立てたものである。本体部３０−１は、前記引出口３０ｂに対応する箇所に矩形の切り欠き３０ｂ１が形成され、前記斜面３０ｃに対向し切り欠き３０ｂ１に隣り合う側面が開口してある。蓋部３０−２は、本体部３０−１の開口を塞ぐように本体部３０−１に折曲げ自在に連結され、切り欠き３０ｂ１の側の縁が外側に延長形成されている。舌部３０−３は折り曲げた蓋部３０−２を本体部３０−１に留めるために本体部３０−１に差込固定されるものである。
【００４３】
収納容器３０の組み立て工程では、先ず、円柱形に巻かれたストリップ包装体１を本体部３０−１の側面開口から内部に組み込む。この際、ストリップ包装体１の巻き終わり側の端部を切り欠き３０ｂ１から少し外に出た状態にしておく。次に蓋部３−２を折曲げ、舌部３０−３で固定し、ストリップ包装体１の端部を蓋部３０−２に粘着テープ等により留めることにより、ストリップ包装体１を収納した収納容器３０が形成される。なお、破線で示すように、本体部３０−１に組み込んだストリップ包装体１の外側部が前記斜面３０ｃによって安定に受け止められている。
【００４４】
上記実施形態では、服用物収容セルＳに錠剤を収容させたが、錠剤以外のカプセル、顆粒剤等の薬剤、薬剤以外のサプリメント剤等を収容してもよい。
【符号の説明】
【００４５】
１        ストリップ包装体
１ａ      ラベル
１ａ１    品名表示
１ａ２    バーコード表示
１ａ３    マーク
１ａ４    番号表示
１ｂ      ミシン目
２        芯
３        収納容器
３−１    箱構成体
３−２    箱構成体
３ａ      シール
３ａ１    品名表示部
３ａ２    バーコード表示部
３ｂ      引出口
３ｂ１    切り欠き
３ｂ２    切り欠き
３ｃ      回転軸
４        収納容器保持部
５        搬送ローラー
５ａ      搬送ローラーモータ
６        シートセンサ
６ａ      マーク検出部
６ｂ      バーコード読取り部
７        容器センサ
８        バーコードリーダー
９        選択スイッチ
１０      制御部
１０ａ    メモリー
１２      移動ユニット
１２ａ    駆動アーム
１３      表示器
１４      カッター
１４ａ    カッターモータ
１５      シューター
３０      収納容器
３０ａ    側面
３０ｂ    引出口
３０ｂ１  切り欠き
３０ｃ    斜面
３０−１  本体部
３０−２  蓋部
３０−３  舌部
Ｊ      錠剤
Ｓ      服用物収容セル
【図１】
0006600851.tif 000002
【図２】
0006600851.tif 000003
【図３】
0006600851.tif 000004
【図４】
0006600851.tif 000005
【図５】
0006600851.tif 000006
【図６】
0006600851.tif 000007
【図７】
0006600851.tif 000008
【図８】
0006600851.tif 000009
【図９】
0006600851.tif 000010
【図１０】
0006600851.tif 000011
【図１１】
0006600851.tif 000012
【図１２】
0006600851.tif 000013